(57)【要約】      （修正有）【課題】脳波誘導用のヘッドマウント式装置、システム及びその誘導方法を提供する。【解決手段】ヘッドマウント式装置は、フレーム１０と、脳波検知モジュール２０と、脳波誘導モジュール３０と、制御モジュール５０とを含む。脳波検知モジュールの延長型検出電極により、前記ヘッドマウント式装置が装着されて耳に密着した際に、耳に対してより大きな有効検出面積を提供し、脳波検知の正確さを提供するとともに、装着の際の心地よさも兼備する。また、被誘導者の正確な脳波状態を予め取得した後、対応する誘導モードを与えるので、装着者に対してより適切な誘導モード、例えば、睡眠状態の誘導を与えることができる。【選択図】図１
2020110582.tif 000002
【特許請求の範囲】
【請求項１】
フレームと、脳波検知モジュールと、脳波誘導モジュールと、制御モジュールとを含む、脳波誘導用のヘッドマウント式装置であって、
前記フレームは、アイマスク部と、前記アイマスク部にそれぞれ接続されている左耳部及び右耳部とを含み、
前記脳波検知モジュールは、前記フレームに配置される複数の検出電極を含み、それらの検出電極の少なくとも１つが、前記左耳部または右耳部に配置される延長型検出電極であり、前記延長型検出電極が、耳の複数の部位に同時に接触し、
前記脳波誘導モジュールは、前記フレームに配置され、音声及び光の少なくとも１つから形成される刺激作用を有する信号を提供し、
前記制御モジュールは、前記フレームに配置され、前記脳波検知モジュール及び前記脳波誘導モジュールに接続され、
前記制御モジュールは、前記脳波検知モジュールから受信した第１脳波信号、及び所定の刺激モードでの前記脳波誘導モジュールの稼働において前記脳波検知モジュールから取得した脳波変化パターンに基づいて、前記脳波誘導モジュールに誘導式刺激信号を提供させるように、前記脳波誘導モジュールを制御する、
脳波誘導用のヘッドマウント式装置。
【請求項２】
前記脳波検知モジュールは、少なくとも１つの第１型脳波検知部材及び第２型脳波検知部材を含み、
前記第１型脳波検知部材は、前記左耳部または前記右耳部に配置される前記延長型検出電極を有し、
前記第２型脳波検知部材は、前記アイマスク部に配置される前額検出電極を有する、
請求項１に記載のヘッドマウント式装置。
【請求項３】
前記第２型脳波検知部材は、額パッドを有し、
前記アイマスク部は、鼻パッドを有し、
前記額パッドは、前記アイマスク部から突出するように配置され、
前記前額検出電極は、前記額パッドに配置され、
前記アイマスク部は、凹部を有し、
前記鼻パッドは、前記凹部に配置されている、
請求項２に記載のヘッドマウント式装置。
【請求項４】
前記第１型脳波検知部材は、数量が２個であり、それぞれ前記左耳部及び前記右耳部に配置されており、
前記第１型脳波検知部材の有する前記延長型検出電極は、Ｃ字形であり、前記Ｃ字形の開口の部分は、耳の耳珠の箇所に位置する、
請求項２に記載のヘッドマウント式装置。
【請求項５】
前記脳波誘導モジュールは、少なくとも１つの第１型脳波誘導部材及び第２型脳波誘導部材を含み、
前記第１型脳波誘導部材は、前記左耳部または前記右耳部に配置される音響ユニットであり、
前記第２型脳波誘導部材は、前記アイマスク部に配置される少なくとも１つの発光ユニットである、
請求項１に記載のヘッドマウント式装置。
【請求項６】
前記延長型検出電極は、前記音響ユニットを囲むように配置されている、
請求項５に記載のヘッドマウント式装置。
【請求項７】
前記発光ユニットは、数量が２個であり、装着者の両眼にそれぞれ対応するように用いられ、
各前記発光ユニットは、ＲＧＢ三色の発光素子である、
請求項５に記載のヘッドマウント式装置。
【請求項８】
前記フレームは、前記アイマスク部の左右両端に配置されている左アーム部及び右アーム部を有し、
前記左アーム部及び右アーム部は、前記アイマスク部に相対的に変形できる変形部を有する、
請求項１に記載のヘッドマウント式装置。
【請求項９】
前記フレームは、前記アイマスク部の左右両端に配置されている左アーム部及び右アーム部を有し、
前記左アーム部及び右アーム部は、それぞれ、位置制限部材により前記アイマスク部に接続され、
各前記位置制限部材は、前記左耳部及び左耳部がそれぞれ左耳及び右耳に対して挟持力を生じるように、前記左アーム部及び右アーム部のそれぞれの前記アイマスク部に対する角度を調整可能に制限する、
請求項１に記載のヘッドマウント式装置。
【請求項１０】
前記フレームの前記左耳部及び前記右耳部は、対応する耳の上耳根部まで延伸するように用いられ、
前記左耳部または前記右耳部に配置されている前記脳波検知モジュールの前記延長型検出電極は、対応する耳の上耳根部及び耳輪の上端部に接触するように用いられる、
請求項１に記載のヘッドマウント式装置。
【請求項１１】
前記脳波検知モジュールに配置され、前記耳の耳珠の箇所に位置する生体信号計測モジュールをさらに含み、
前記生体信号計測モジュールは、光学式心拍計測（フォトプレチスモフグラフィ、ＰＰＧ）装置である、
請求項１〜１０のいずれか１項に記載のヘッドマウント式装置。
【請求項１２】
前記フレームの外表面には、前記制御モジュールに接続されている表示ユニットがさらに含まれ、
前記制御モジュールは、前記脳波検知モジュールから取得した現在の脳波信号に基づいて、対応する予定のランプまたは色を表示するように前記表示ユニットを制御する、
請求項１１に記載のヘッドマウント式装置。
【請求項１３】
フレームと、少なくとも１つの第１型脳波検知部材とを含む、脳波誘導用のヘッドマウント式装置であって、
前記第１型脳波検知部材は、前記フレームに設置されており、耳に対応するように用いられ、
前記第１型脳波検知部材は、クッションと、前記クッションの表面から部分的に露出する延長型検出電極を含み、
前記延長型検出電極は、前記耳の複数の部位に同時に接触するように用いられる、
脳波誘導用のヘッドマウント式装置。
【請求項１４】
緩衝を提供するための前記クッションは、固定部及び弾性部を備え、
前記延長型検出電極が前記固定部によって部分的に包み込まれ、前記固定部が前記弾性部によって部分的に包み込まれることにより、前記クッションは、前記弾性部によって、前記第１型脳波検知部材が前記耳部に当接する際の圧力を緩和する、
請求項１３に記載のヘッドマウント式装置。
【請求項１５】
前記延長型検出電極は、シート状であり、その側縁には、下方に折り曲げられた湾曲部、及びさらに折り曲げられて前記固定部に延伸して入り込むフランジ部を有し、
折り曲げられた前記延長型検出電極の頂部は、前記クッションから露出している、
請求項１４に記載のヘッドマウント式装置。
【請求項１６】
前記クッションは、前記フレームに設置されている少なくとも１つの第１組付部と合致するための少なくとも１つの第２組付部を有し、
前記第２組付部は、前記固定部の底部に設けられており、
前記第１型脳波検知部材は、前記第１組付部と前記第２組付部との合致により、前記フレームに着脱可能に取り付けられている、
請求項１５に記載のヘッドマウント式装置。
【請求項１７】
前記第１組付部及び前記第２組付部は、いずれも磁性部材である、
請求項１６に記載のヘッドマウント式装置。
【請求項１８】
前記第１型脳波検知部材は、前記延長型検出電極に接続される信号導出部をさらに有し、
前記信号導出部は、前記固定部の底部に設けられ、前記固定部によって部分的に包み込まれている、
請求項１５に記載のヘッドマウント式装置。
【請求項１９】
前記固定部及び前記信号導出部は、いずれも周囲型の環状シート材であり、
前記信号導出部は、前記フレームに設けられている少なくとも１つの信号接続器の接続に用いられる、
請求項１８に記載のヘッドマウント式装置。
【請求項２０】
前記延長型検出電極の材質は、ステンレス鋼である、
請求項１３に記載のヘッドマウント式装置。
【請求項２１】
前記延長型検出電極は、前記クッションにて延伸するＣ字形であり、
当該Ｃ字形の切り欠きは、前記耳の耳珠の部分に対応するように用いられ、
前記延長型検出電極は、前記耳の耳輪（Ｈｅｌｉｘ）、対耳輪（Ａｎｔｉ−ｈｅｌｉｘ）、耳垂（Ｌｏｂｕｌｅ）、及び耳珠（Ｔｒａｇｕｓ）のうちの少なくとも２つに接触するように用いられる、
請求項１３に記載のヘッドマウント式装置。
【請求項２２】
前記フレームは、前記第１型脳波検知部材を設置するためのドッキングベースを含み、
前記ドッキングベースは、基体及び押上部材を有し、
前記押上部材は、前記基体に設けられており、前記基体から突出する程度を調整できることにより、前記ドッキングベースに設置された前記第１型脳波検知部材と前記耳との間の距離を制御する、
請求項１３に記載のヘッドマウント式装置。
【請求項２３】
前記押上部材は、ネジ構造によって前記基体に螺合されており、
前記第１型脳波検知部材は、前記押上部材に設置されている、
請求項２２に記載のヘッドマウント式装置。
【請求項２４】
少なくとも１つの第１組付部は、前記基体または前記押上部材に設置され、
前記第１型脳波検知部材は、少なくとも１つの第２組付部を有し、
前記第１組付部及び前記第２組付部は、いずれも磁性部材であり、
前記第１型脳波検知部材は、磁性吸引作用により、前記押上部材に着脱可能に取り付けられている、
請求項２２に記載のヘッドマウント式装置。
【請求項２５】
前記基体には、前記延長型検出電極に接続される少なくとも１つの信号接続器が設けられている、
請求項２２に記載のヘッドマウント式装置。
【請求項２６】
前記信号接続器は、ポゴピンである、
請求項２５に記載のヘッドマウント式装置。
【請求項２７】
前記クッションは、前記フレームにて周囲型の周囲材であり、
前記延長型検出電極は、前記クッションによって部分的に包み込まれ、
前記クッションの頂部及び内周面に、前記延長型検出電極が露出している、
請求項１３に記載のヘッドマウント式装置。
【請求項２８】
前記第１型脳波検知部材は、生体信号測定モジュールを含み、
前記生体信号測定モジュールは、前記クッションによって包み込まれ、前記クッションの表面から部分的露出しており、前記耳の耳珠の箇所に対応するように用いられる、
請求項１３〜２７のいずれか１項に記載のヘッドマウント式装置。
【請求項２９】
前記生体信号計測モジュールは、光学式心拍計測（フォトプレチスモフグラフィ、ＰＰＧ）装置である、
請求項２８に記載のヘッドマウント式装置。
【請求項３０】
前記延長型検出電極は、前記クッションにて延伸するＣ字形であり、
前記生体信号計測モジュールは、前記Ｃ字形の切り欠きの箇所に配置されている、
請求項２８に記載のヘッドマウント式装置。
【請求項３１】
耳の複数の部位に同時に接触可能な少なくとも１つの延長型検出電極及び前額部位に接触可能な前額検出電極により、第１脳波信号を取得するステップと、
所定の刺激モードを実行し、刺激作用を有する初期刺激信号を提供するステップと、
耳の複数の部位に同時に接触可能な少なくとも１つの前記延長型検出電極及び前額部位に接触可能な前記前額検出電極により、第２脳波信号を取得するステップと、
少なくとも前記第１脳波信号及び前記第２脳波信号に基づいて、脳波変化パターンを取得するステップと、
前記脳波変化パターン及び現在にて取得した第３脳波信号に基づいて、誘導式刺激信号を提供するステップと
含む脳波誘導方法。
【請求項３２】
前記所定の刺激モード及び前記誘導式刺激信号は、装着者に対して所定の音声・光のテストモードを提供し、前記音声・光のテストモードは、特定の時間帯にて光パラメータ及び左右耳の周波数差の変化を提供する、
請求項３１に記載の脳波誘導方法。
【請求項３３】
前記光パラメータ及び左右耳の周波数差の変化は、光が赤寄り、黄寄り、緑寄り、青寄りの順の変化及びその逆の順の変化、または、１２Ｈｚから２Ｈｚまでの順の左右耳の周波数差の変化及びその逆の順の変化を少なくとも含み、
前記音声・光のテストモードにて提供される音声の周波数は、２００〜２１０Ｈｚの間または１７０〜１７３Ｈｚの間で変化する、
請求項３２に記載の脳波誘導方法。
【請求項３４】
第１無線通信モジュールを内蔵するスマート制御通信装置の無線接続のための、脳波誘導用のシステムであって、
請求項１〜３０のいずれか１項に記載のヘッドマウント式装置とマッサージ装置とを含み、
前記ヘッドマウント式装置は、制御モジュール、第２無線通信モジュール及び第３無線通信モジュールをさらに含み、前記制御モジュールは、前記第２無線通信モジュール及び前記第３無線通信モジュールにそれぞれ接続され、前記第２無線通信モジュールは、前記第１無線通信モジュールとの無線通信の構築に用いられ、
前記マッサージ装置は、マッサージ部材、第４無線通信モジュール及びマッサージ制御モジュールを含み、前記マッサージ制御モジュールは、前記第４無線通信モジュール及び前記マッサージ部材にそれぞれ接続され、前記第４無線通信モジュールは、前記第３無線通信モジュールとの無線接続の構築に用いられ、
前記ヘッドマウント式装置は、前記第２無線通信モジュールから受信した制御指令に基づいて、脳波誘導機能を実行し、前記第３無線通信モジュールを介して、予め設定された所定のマッサージモードを前記マッサージ装置が実行するように指令し、
前記マッサージモードでは、対応するマッサージ機能を前記マッサージ部材が実行するようにさせる、
脳波誘導用のシステム。
【発明の詳細な説明】
【技術分野】
【０００１】
本発明は、脳波の検出及び誘導に関し、特に、脳波誘導用のヘッドマウント式装置、システム及びその誘導方法に関する。
【背景技術】
【０００２】
脳波は、脳内の電気的振動の一つであり、神経細胞の活動に由来する振動である。人が異なる状態にいることによって、脳内の電気的振動が変化する。例えば、人が覚醒状態または非覚醒状態にある場合に、振動周波数はそれによって異なる変化が生じる。瞼が開くまたは閉じる場合でさえも、異なる振動周波数が生じうる。
【０００３】
国際基準では、異なる周波数に基づいて、脳波をα、β、δ、θ波に分類している。人脳がリラックスする非集中状態では、α波（８〜１２Ｈｚ）が現れやすく、また、人脳が集中状態またはストレスの状態では、β波（１２〜３８Ｈｚ）が現れやすい。しかしながら、睡眠状態では、人脳内の電波は、例えば、θ波（４〜８Ｈｚ）やδ波（０．５〜４Ｈｚ）のような低周波になり、そのうち、θ波は「潜在意識波」に分類され、δ波は「無意識波」に分類される。
【発明の概要】
【発明が解決しようとする課題】
【０００４】
このように、人の脳波状態は、人の現在の様子を表し、人脳に適宜な誘導を提供できれば、人脳を適宜な状態にすることができ、メンタル上の一つの誘導の選択をも提供できる。しかしながら、脳波の測定は、人の脳内の電気的振動に対して行うものであり、正確な測定だけでなく、被験者の装着の快適さも考慮する必要がある。また、人脳内の神経細胞の電気的振動の特性は人それぞれであり、誘導の効率も誘導の効果に影響を与える。
【０００５】
本発明の一つの目的は、正確な脳波測定を提供することである。
【０００６】
本発明のもう一つの目的は、装着の快適さを提供することである。
【０００７】
本発明のさらにもう一つの目的は、好ましい誘導効率を提供することである。
【課題を解決するための手段】
【０００８】
上記の目的を鑑みに、本発明は、フレームと、脳波検知モジュールと、脳波誘導モジュールと、制御モジュールとを含む、脳波誘導用のヘッドマウント式装置を提供する。前記フレームは、アイマスク部と、前記アイマスク部にそれぞれ接続されている左耳部及び右耳部とを含む。前記脳波検知モジュールは、前記フレームに配置される複数の検出電極を含み、それらの検出電極の少なくとも１つは、前記左耳部または右耳部に配置される延長型検出電極であり、前記延長型検出電極は、耳の複数の部位に同時に接触する。前記脳波誘導モジュールは、前記フレームに配置され、音声及び光の少なくとも１つから形成される刺激作用を有する信号を提供する。前記制御モジュールは、前記フレームに配置され、前記脳波検知モジュール及び前記脳波誘導モジュールに接続され、また、前記制御モジュールは、前記脳波検知モジュールから受信した第１脳波信号、及び所定の刺激モードでの前記脳波誘導モジュールの稼働において前記脳波検知モジュールから取得した脳波変化パターンに基づいて、前記脳波誘導モジュールに誘導式刺激信号を提供させるように、前記脳波誘導モジュールを制御する。
【０００９】
本発明の１つの実施例において、前記脳波検知モジュールは、少なくとも１つの第１型脳波検知部材及び第２型脳波検知部材を含み、前記第１型脳波検知部材は、前記左耳部または前記右耳部に配置される前記延長型検出電極を有し、前記第２型脳波検知部材は、前記アイマスク部に配置される前額検出電極を有する。
【００１０】
本発明の１つの実施例において、前記第１型脳波検知部材は、数量が２個であり、それぞれ前記左耳部及び前記右耳部に配置されている。前記第１型脳波検知部材の有する前記延長型検出電極は、Ｃ字形であり、前記Ｃ字形の開口の部分は、耳の耳珠の箇所に位置する。
【００１１】
本発明の１つの実施例において、前記脳波誘導モジュールは、少なくとも１つの第１型脳波誘導部材及び第２型脳波誘導部材を含み、前記第１型脳波誘導部材は、前記左耳部または前記右耳部に配置される音響ユニットであり、前記第２型脳波誘導部材は、前記アイマスク部に配置される少なくとも１つの発光ユニットである。
【００１２】
本発明の１つの実施例において、前記フレームの前記左耳部及び前記右耳部は、対応する耳の上耳根部まで延伸するように用いられ、前記左耳部または前記右耳部に配置されている前記脳波検知モジュールの前記延長型検出電極は、対応する耳の上耳根部及び耳輪の上端部に接触するように用いられる。
【００１３】
上記の目的を鑑みに、本発明は、フレームと、少なくとも１つの第１型脳波検知部材とを含む、脳波誘導用のヘッドマウント式装置をさらに提供する。前記第１型脳波検知部材は、前記フレームに設置されており、耳に対応するように用いられる。前記第１型脳波検知部材は、クッションと、前記クッションの表面から部分的に露出する延長型検出電極とを含み、前記延長型検出電極は、前記耳の複数の部位に同時に接触するように用いられる。
【００１４】
本発明の１つの実施例において、緩衝を提供するための前記クッションは、固定部及び弾性部を備える。前記延長型検出電極が前記固定部によって部分的に包み込まれ、前記固定部が前記弾性部によって部分的に包み込まれることにより、前記クッションは、前記弾性部によって、前記第１型脳波検知部材が前記耳部に当接する際の圧力を緩和する。
【００１５】
本発明の１つの実施例において、前記延長型検出電極は、シート状であり、その側辺には、下方に折り曲げられた湾曲部及びさらに折り曲げられて前記固定部に延伸して入り込むフランジ部を有する。折り曲げられた前記延長型検出電極の頂部は、前記クッションから露出している。
【００１６】
本発明の１つの実施例において、前記クッションは、前記フレームに設置されている少なくとも１つの第１組付部と合致するための少なくとも１つの第２組付部を有し、前記第２組付部は、前記固定部の底部に設けられ、前記第１型脳波検知部材は、前記第１組付部と前記第２組付部との合致により、前記フレームに着脱可能に取り付けられている。前記第１組付部及び前記第２組付部は、いずれも磁性部材であってもよい。
【００１７】
本発明の１つの実施例において、前記第１型脳波検知部材は、前記延長型検出電極に接続される信号導出部をさらに有する。前記信号導出部は、前記固定部の底部に設けられ、前記固定部によって部分的に包み込まれている。前記固定部及び前記信号導出部は、いずれも周囲型の環状シート材としてもよく、前記信号導出部は、前記フレームに設けられている少なくとも１つの信号接続器の接続に用いられる。
【００１８】
前記延長型検出電極の材質は、ステンレス鋼である、
【００１９】
本発明の１つの実施例において、前記延長型検出電極は、前記クッションにて延伸するＣ字形で、当該Ｃ字形の切り欠きは、前記耳の耳珠の部分に対応するように用いられ、前記延長型検出電極は、前記耳の耳輪（Ｈｅｌｉｘ）、対耳輪（Ａｎｔｉ−ｈｅｌｉｘ）、耳垂（Ｌｏｂｕｌｅ）、及び耳珠（Ｔｒａｇｕｓ）のうちの少なくとも２つに接触するように用いられる。
【００２０】
本発明の１つの実施例において、前記フレームは、前記第１型脳波検知部材を設置するためのドッキングベースを含む。前記ドッキングベースは、基体及び押上部材を有する。前記押上部材は、前記基体に設けられており、前記基体から突出する程度を調整できることにより、前記ドッキングベースに設置された前記第１型脳波検知部材と前記耳との間の距離を制御する。前記押上部材は、ネジ構造によって前記基体に螺合できる。前記第１型脳波検知部材は、前記押上部材に設置されている。
【００２１】
本発明の１つの実施例において、前記クッションは、前記フレームにて周囲型の周囲材で、前記延長型検出電極が前記クッションによって部分的に包み込まれ、前記クッションの頂部及び内周面に、前記延長型検出電極が露出している。
【００２２】
本発明の１つの実施例において、前記フレームには、制御モジュールとしての基板が内蔵されており、前記第１型脳波検知部材は、少なくとも１つの信号接続器を介して前記基板に接続されている。
【００２３】
本発明の１つの実施例において、前記第１型脳波検知部材は、生体信号測定モジュールをさらに含み、前記生体信号測定モジュールは、前記クッションによって包み込まれ、前記クッションの表面から部分的に露出しており、前記耳の耳珠の箇所に対応するように用いられる。
【００２４】
上記の目的を鑑みに、本発明は、耳の複数の部位に同時に接触可能な少なくとも１つの延長型検出電極及び前額部位に接触可能な前額検出電極により、第１脳波信号を取得するステップと、所定の刺激モードを実行し、刺激作用を有する初期刺激信号を提供するステップと、耳の複数の部位に同時に接触可能な少なくとも１つの前記延長型検出電極及び前額部位に接触可能な前記前額検出電極により、第２脳波信号を取得するステップと、少なくとも前記第１脳波信号及び前記第２脳波信号に基づいて、脳波変化パターンを取得するステップと、前記脳波変化パターン及び現在にて取得した第３脳波信号に基づいて、誘導式刺激信号を提供するステップと、含む脳波誘導方法をさらに提供する。
【００２５】
本発明の１つの実施例において、前記所定の刺激モード及び前記誘導式刺激信号は、装着者に対して所定の音声・光のテストモードを提供し、前記音声・光のテストモードは、特定の時間帯にて光パラメータ及び左右耳の周波数差の変化を提供することを含む。
【００２６】
本発明の１つの実施例において、前記光パラメータ及び左右耳の周波数差の変化は、光が赤寄り、黄寄り、緑寄り、青寄りの順の変化及びその逆の順の変化、または、１２Ｈｚから２Ｈｚまでの順の左右耳の周波数差の変化及びその逆の順の変化を少なくとも含み、前記音声・光のテストモードにて提供される音声の周波数は、２００〜２１０Ｈｚの間または１７０〜１７３Ｈｚの間で変化する。
【００２７】
上記の目的を鑑みに、本発明は、第１無線通信モジュールを内蔵するスマート制御通信装置の無線接続のための、脳波誘導用のシステムをさらに提供する。前記脳波誘導用のシステムは、前記ヘッドマウント式装置とマッサージ装置とを含む。前記ヘッドマウント式装置は、制御モジュール、第２無線通信モジュール、及び第３無線通信モジュールをさらに含み、前記制御モジュールは、前記第２無線通信モジュール及び前記第３無線通信モジュールにそれぞれ接続され、前記第２無線通信モジュールは、前記第１無線通信モジュールとの無線接続の構築に用いられる。前記マッサージ装置は、マッサージ部材、第４無線通信モジュール及びマッサージ制御モジュールを含み、前記マッサージ制御モジュールは、前記第４無線通信モジュール及び前記マッサージ部材にそれぞれ接続され、前記第４無線通信モジュールは、前記第３無線通信モジュールとの無線接続の構築に用いられる。前記ヘッドマウント式装置は、前記第２無線通信モジュールから受信した制御指令に基づいて、脳波誘導機能を実行し、前記第３無線通信モジュールを介して、予め設定された所定のマッサージモードを前記マッサージ装置が実行するように指令する。前記マッサージモードでは、対応するマッサージ機能を前記マッサージ部材が実行するようにさせる。
【発明の効果】
【００２８】
以上のように、脳波検知モジュールの延長型検出電極により、耳に対してより大きな有効検出面積を提供でき、さらに、脳波検知の正確さを提供するとともに装着の心地よさも兼備することができる。また、被誘導者の正確な脳波状態を予め取得した後、対応する誘導モードを与えるので、装着者に対してより適切な誘導モードを与えることができ、より良好な誘導効率を提供できる。
【図面の簡単な説明】
【００２９】
【図１】本発明の１つの実施例に係る脳波誘導用のヘッドマウント式装置の模式図である。
【図２】本発明の１つの実施例に係る脳波誘導用のヘッドマウント式装置の一部の機能ブロック図である。
【図３】本発明の別の実施例に係る脳波誘導用のヘッドマウント式装置の模式図である。
【図４】本発明のさらに別の実施例に係る脳波誘導用のヘッドマウント式装置の模式図である。
【図５】本発明のさらに別の実施例に係るヘッドマウント式装置の第１型脳波検知部材の一部の断面構造図である。
【図６】図３で示される実施例に係るＡ―Ａ断面線での断面模式図である。
【図７】本発明の１つの実施例に係るクッション及びドッキングベースの立体分解模式図である。
【図８】本発明のさらに他の実施例に係る脳波誘導用のヘッドマウント式装置の模式図である。
【図９】本発明の別の実施例に係るクッション及びドッキングベースの断面模式図である。
【図１０】本発明の１つの実施例に係る脳波誘導方法のフローチャートである。
【図１１】本発明の１つの実施例に係る脳波誘導用のシステムの模式図である。
【発明を実施するための形態】
【００３０】
本発明の目的、特徴及び効果を十分に理解するために、以下の実施例及び対応する図面により、本発明を詳しく説明する。
【００３１】
本明細書では、「含む」、「含有する」、「有する」という用語またはその類似する用語は、本明細書に開示された要素を限定するものでなく、明確に挙げられていないが、言及されたユニット、部材、構造、装置、モジュール、システム、部位または領域が一般的に固有する他の要素を含む。
【００３２】
本明細書では、「第１」または「第２」などの類似する序列用語は、同じまたは類似する素子または構造を区別するまたは関連性を示すためのものであり、それらの素子、構造、部位または領域の空間上の順序を示唆するとは限らない。状況及び配置によって、序列用語は置き換えて利用可能であり、本発明の実施に影響するものではないことを理解すべきである。
【００３３】
本明細書では、「１個」または「１つ」でユニット、部材、構造、装置、モジュール、システム、部位または領域などを記述しているが、これは説明を簡易化するためのものであり、本発明の範疇に一般的な意義を供するためのものである。したがって、特に説明しない限り、上記の記述は、１つまたは少なくとも１つを含み、単数とともに複数をも含むことを理解すべきである。
【００３４】
本発明の各実施例は、脳波誘導用のヘッドマウント式装置、システム及び誘導方法に関し、音声及び光の少なくとも１つから形成される刺激作用を有する信号を利用して、例えば、光または／及び音声の感覚刺激により脳波に影響を与えることができるという原理に基づいて、人間の脳波の向かう意識状態に影響を与える。以下、図面により各実施例を説明する。
【００３５】
図１及び図２を参照されたい。図１は、本発明の１つの実施例に係る脳波誘導用のヘッドマウント式装置の模式図であり、図２は、本発明の１つの実施例に係る脳波誘導用のヘッドマウント式装置の一部の機能ブロック図である。実施例では、ヘッドマウント装置ＨＤは、フレーム１０と、脳波検知モジュール２０と、脳波誘導モジュール３０と、制御モジュール５０とを含む。
【００３６】
制御モジュール５０は、脳波検知モジュール２０に接続され、第１脳波信号Ｓ２０を受信する。制御モジュール５０は、脳波誘導モジュール３０に接続されており、脳波誘導モジュール３０を制御する誘導式刺激信号Ｓ３０を出力し、装着者に対して刺激作用を有する信号、例えば、音声、光、またはその両者の組み合わせを脳波誘導モジュール３０に提供させる。音声または光は、いずれも装着者の感覚神経に対して刺激作用を与え、知覚を生じさせることができる。
【００３７】
ここでいう「刺激」とは、感覚神経に対して影響を与え、感覚神経が知覚作用を生じうる任意の信号であり、一定の大きさの信号とは限らない。本発明の実施例は、さらに脳波誘導に適用されるので、前記の「刺激作用を有する信号」とは、脳波の波動と関連する信号を含んでも良い。図２は、信号の送受信の過程が示されており、前記第１脳波信号Ｓ２０または前記誘導式刺激信号Ｓ３０のみの送受信に限定するものではない。
【００３８】
図１に示されるフレーム１０は、アイマスク部１１と、左耳部１２Ａと、右耳部１２Ｂとを含む。アイマスク部１１の両端は、それぞれ左耳部１２Ａ及び右耳部１２Ｂに接続されている。ヘッドマウント式装置ＨＤにさらに多くの機能を持たせるように、アイマスク部１１と左耳部１２Ａ及び右耳部１２Ｂとの間には、他の部材を有してもよい。フレーム１０は、一部または全部が硬質部材（例えば、ＰＣ、ＡＢＳ、またはＰＣ＋ＡＢＳなどのプラスチック材）であることが好ましい。これにより、アイマスク部１１は、装着時に、装着者の眼部との間に一定の距離を保つことができ、装着者の顔面に全体的に密着しない。
【００３９】
フレーム１０は、脳波検知モジュール２０と、脳波誘導モジュール３０と、制御モジュール５０との配置を提供できる。例えば、制御モジュール５０は、集合型回路基板であってもよく、フレーム１０内部に配置され、複数種類の機能モジュールが組み込まれるとともに、充電可能なバッテリーと合わせて無線通信モジュールを統合されてもよいため、ヘッドマウント式装置ＨＤがより使いやすくなり、他の装置との無線接続が可能となる。
【００４０】
脳波検知モジュール２０は、フレーム１０に配置されている複数の検出電極、例えば、右耳部１２Ｂに配置されている第１型脳波検知部材２１を含んでもよい。延長型検出電極２１１は、装着者の右耳の位置に対応するように、クッション２１３を介して右耳部１２Ｂの位置に配置される。延長型検出電極２１１は、その長さが延長されているため、装着者の耳の複数の部位、例えば、耳の耳輪（Ｈｅｌｉｘ）、対耳輪（Ａｎｔｉ−ｈｅｌｉｘ）、耳垂（Ｌｏｂｕｌｅ）、及び耳珠（Ｔｒａｇｕｓ）のうちの少なくとも２つの部位に同時に接触できる。このような電極により、耳に対してより大きな検出面積を提供でき、信号検出の精度を向上させ、さらに脳波検知の正確さをも提供できる。また、より大きな面積の接触により、単位面積の接触圧を緩和でき、装着の心地よさを兼備できる。また、ヘッドマウント式装置ＨＤを装着するとき、第１型脳波検知部材２１が耳に当接する際、クッション２１３は、緩衝作用を提供でき、装着時の心地よさを向上させることができる。
【００４１】
図１で示される実施例のように、延長型検出電極２１１は、クッション２１３にて延伸するＣ字形でも良いが、これに限定されるものではない。また、Ｃ字形の切り欠きは、耳の耳珠の部位に対応するように用いることができる。延長型検出電極２１１は、電気信号を伝播できる材料、例えば、ステンレス鋼、またはその他の金属、合金、ひいては導電性の布材、繊維などを採用してもよいが、ステンレス鋼は、熱伝導係数が低いため、装着者の皮膚への接触に適している。
【００４２】
また、第１型脳波検知部材２１には、耳の耳珠の箇所に対応する位置の付近に、さらに生体信号計測モジュール２３が配置されてもよい。生体信号計測モジュール２３は、クッション２１３によって部分的に包み込まれて、第１型脳波検知モジュール２１に固定され、クッション２１３の表面から露出してもよい。さらに、生体信号計測モジュール２３は、耳の耳珠の箇所に対応するように、延長型検出電極２１１のＣ字形の切り欠きの箇所の付近に配置されることにより、耳珠付近の浅側頭動脈（Ａｒｔｅｒｉａ  ｔｅｍｐｏｒａｌｉｓ ｓｕｐｅｒｆｉｃｉａｌｉｓ）を測定し、装着者の生体データの変化（例えば、脈拍、体温、血中酸素及び心拍など）を提供できる。生体信号計測モジュール２３は、制御モジュール５０に接続されることにより、ヘッドマウント式装置ＨＤに対してより多くの生体データを提供できる。
【００４３】
前記生体信号計測モジュール２３は、光学式心拍計測（フォトプレチスモフグラフィ、Ｐｈｏｔｏｐｌｅｔｈｙｓｍｏｇｒａｐｈｙ、ＰＰＧ）装置であってもよい。例えば、生体信号計測モジュール２３は、光射出ユニット及び受光ユニットを備え、光射出装置（ダイオード）から出射した計測光が、装着者の皮膚によって反射され、受光ユニットがその反射光を受け付け、内蔵のＩＣチップの演算により、生体パラメータを取得する。
【００４４】
第１型脳波検知部材２１は、片方の耳のみ（例えば、左耳部または右耳部）に配置されてもよく、また、左耳部及び右耳部の両方に同時に配置されてもよい。この場合、片方の脳波検知部材が生体信号計測モジュール２３を有すれば良い。例えば、右耳部１２Ｂに配置された第１脳波検知モジュール２１のみが、生体信号計測モジュール２３を有すれば良い。
【００４５】
図１に示されるように、第２型脳波検知部材２２は、第１型脳波検知部材２１と合わせて、異なる計測ポイントで脳波信号を取得する。第２型脳波検知部材２２は、額パッド２２３を備える。額パッド２２３には、前額検出電極２２１が配置されている。額パッド２２３は、アイマスク部１１から突出するように配置されてもよい。また、第２型脳波検知部材２２の下方の付近、かつ、アイマスク部１１の上には、凹部がある。装着者の鼻に当接するように、弾性材の鼻パッド２２５が当該凹部に配置されている。前額検出電極２２１が装着者の額に接触する面積を広げ、計測の信頼性及び精度を確保できるように、額パッド２２３及び前額検出電極２２１の幅はいずれも５ｃｍよりも大きいことが好ましい。一方、左耳部及び右耳部の両方ともに第１型脳波検知部材２１が配置されている態様では、さらに第２型脳波検知部材２２と合わせて、検出電極２１、２２により、引出点、接地点及び参照点による脳波検出回路を形成できる。
【００４６】
脳波誘導モジュール３０は、少なくとも１つの第１型脳波誘導部材３１０と、１つの第２型脳波誘導部材３２０とを有する。第１型脳波誘導部材３１０は、左耳部１２Ａまたは右耳部１２Ｂに配置される音響ユニットであってもよく、例えば、図１に示された延長型検出電極２１１に囲まれた第１脳波誘導部材３１０であってもよい。第２型脳波誘導部材３２０は、アイマスク部１１に配置された少なくとも１つの発光ユニットである。例えば、図１に示されるように、第２型脳波誘導部材３２０は、２つの発光ユニットを有してもよく、装着者の両眼にそれぞれ対応するように用いられる。各発光ユニットとしては、例えば、ＲＧＢ三色発光機能を有する発光素子であってもよい。両耳に対応する音響ユニットの制御により、装着者に対して、左耳・右耳にて周波数差を有する音声信号を形成し、装着者の脳波に影響を与えることができる。
【００４７】
次に、図３を参照されたい。図３は、本発明の別の実施例に係る脳波誘導用のヘッドマウント式装置の模式図である。フレーム１１の外表面には、制御モジュール５０に接続されている表示ユニット６０が含まれていてもよい。制御モジュール５０は、脳波検知モジュール２０から取得した現在の脳波信号に基づいて、表示ユニット６０を制御し、対応する予定のランプまたは色を表示させ、装着者の現在の脳波状態を識別できるようにする。
【００４８】
次に、図４を参照されたい。図４は、本発明のさらに別の実施例に係る脳波誘導用のヘッドマウント式装置の模式図である。この実施例では、フレーム１０は、アイマスク部の左右の両端に連結されている左アーム部１３Ａ及び右アーム部１３Ｂを有する。左アーム部１３Ａ及び右アーム部１３Ｂは、アイマスク部に対して相対的に変形できる変形部１３Ａ１、１３Ｂ１を有することにより、両耳の箇所に対してフレーム１０に一定の挟持力を持たせる。一方、左アーム部１３Ａ及び右アーム部１３Ｂは、それぞれ、位置制限部材（図示なし）により、アイマスク部１１に結合されてもよい。各位置制限部材は、左耳部１２Ａ及び左耳部１２Ｂがそれぞれ左耳及び右耳に対して挟持力を生じるように、左アーム部１３Ａ及び右アーム部１３Ｂのそれぞれのアイマスク部１１に対する角度を調整可能に制限する。
【００４９】
次に、図５を参照されたい。図５は、本発明のさらに別の実施例に係るヘッドマウント式装置の第１型脳波検知部材の一部の断面構造図である。第１型脳波検知部材２１は、クッション２１３と、延長型検出電極２１１と、信号導出部２１５とを含む。延長型検出電極２１１は、クッション２１３によって包み込まれ、クッション２１３の表面から部分的に露出している。１ｍｍ程度露出することが好ましく、これにより、延長型検出電極２１１が装着者の左耳・右耳に密着する際は、より好ましい接触効果を奏する。信号導出部２１５は、延長型検出電極２１１に接続され、クッション２１３によって部分的に包み込まれる。信号導出部２１５は、制御モジュール５０の基板との接続に用いられることにより、第１型脳波検知部材２１が信号導出部２１５を介して制御モジュール５０に接続され、計測した信号を制御モジュール５０へ送信できる。信号導出部２１５は、ポゴピン（Ｐｏｇｏ  Ｐｉｎ）または銅柱であってもよい。
【００５０】
クッション２１３は、固定部２１３１及び弾性部２１３３を有する。延長型検出電極２１１及び信号導出部２１５は、固定部２１３１によって部分的に包み込まれることにより、クッション２１３に固定される。弾性部２１３３が固定部２１３１を部分的に包み込むことにより、クッション２１３は、弾性部２１３３がフレーム１０に当接するように、緩衝を提供し、装着の際の心地よさを向上させることができる。弾性部２１３３は、シリコーン、熱可塑性ポリウレタン（ＴＰＵ）、熱可塑性ゴム（ＴＰＲ）、熱可塑性エラストマー、またはその他同性質もしくは類似性質の材料であってもよい。クッション２１３は、フレーム１０に設置される場合、周囲型の環状または覆う型のシート状でもよい。クッション２１３が環状である場合、中央には前記音響ユニットが露出する。クッション２１３が覆う型のシート状である場合、前記音響ユニットはクッション２１３内に統合されてもよい。
【００５１】
図５に示されるように、延長型検出電極２１１は、シート状であってよく、また、固定部２１３１内部に延伸して入り込むようにその上方と下方の両側にて折り曲げられる。それにより延長型検出電極２１１は、クッション２１３の表面から露出する凸部を有する。さらに、クッション２１３上の当該凸部の形状は、図１示されるようなＣ字形であってもよい。また、フレーム１０の表面から突出したクッション２１３は、フレーム１０にて略円形であってもよい（図１をご参照）。
【００５２】
第１型脳波検知部材２１は、クッション２１３の底部の有するネジ構造（図示なし）により、螺合深さを調整できるようにフレーム１０に結合でき、さらに、装着者に対する第１型脳波検知部材２１の挟持の締め付けの程度を調整できる。また、磁性吸引の構造により、フレーム１０の耳に対応する部位にて第１磁性部材（図示なし）を設け、第１型脳波検知部材２１がクッション２１３の底部に配置された第２磁性部材（図示なし）により、取り外し可能にフレーム１０に結合されてもよい。
【００５３】
次に、図６を参照されたい。図６は、図３に示される実施例に係るＡ―Ａ断面線における断面模式図である。図６では、クッション２１３及び当該クッション２１３を固定する構造のみについて示す。この実施例では、クッション２１３は、周囲型の環状で、クッション２１３の表面から部分的に露出する延長型検出電極２１１もクッション２１３に沿った環状で、このような周囲状態は装着者の耳の部位に対応する。クッション２１３内の固定部２１３１は、プラスチック材、例えば、ＡＢＳ樹脂（アクリロニトリル・ブタジエン・スチレン）とＰＣ材料（ポリカーボネート）とを混合した材料で構成されてもよく、インサート成形により形成され、延長型検出電極２１１を部分的に包み込む。クッション２１３の弾性部２１３３は、さらに固定部２１３１及び延長型検出電極２１１を部分的に包み込み、例えば、包射成形により成形されることにより、延長型検出電極２１１がクッション２１３に固定される。また、クッション２１３は、装着者の耳に接触する部位にて、弾性により、当接する際に生じる圧力を緩和する。
【００５４】
延長型検出電極２１１は、シート状で、その側縁には、下方に折り曲げられた湾曲部、及びさらに折り曲げられて固定部２１３１に延伸して入り込むフランジ部を有する。フランジ部は、信号導出部２１５に接続されるために用いられる。信号導出部２１５は、固定部２１３１によって部分的に包み込まれ、クッション２１３の底部に固定され、フレーム１０に設置されている信号接続器１４１５との接続に用いられてもよい。また、他の実施例では、延長型検出電極２１１は、フランジ部を介して信号接続器１４１５に直接電気的に接続されても良く、例えば、フランジ部は、クッション２１３の底部にて部分的に露出し、信号導出部２１５を介することなく、信号接続器１４１５と直接接触する。
【００５５】
また、クッション２１３は、フレーム１０から取り外し自在に設計されてもよい。例えば、図６に示されるように、フレームにドッキングベース１４を設け、前記ドッキングベース１４は基体１４１及び押上部材１４３を有してもよい。基体１４１は、任意の方法でフレーム１０に固定されてもよい。第１型脳波検知部材２１は、固定部２１３１に設置されている第２組付部２１３５により、基体１４１に設置されている第１組付部１４１３と合わせて、取り外し可能にフレーム１０に取り付けられてもよい。第１組付部１４１３と第２組付部２１３５は、例えば、それぞれ磁性部材であってもよく、磁性吸引作用により、取外し可能な構造を実現する。
【００５６】
押上部材１４３は、図６に示されるネジ構造により、基体１４１に螺合され、そのネジ構造により、ドッキングベース１４に取り付けられている第１型脳波検知部材２１と耳との間の距離を調節できる。押上部材１４３が回転により基体１４１から突出すると、第１型脳波検知部材２１と耳との距離が近くなる。しかし、これに限らず、基体１４１から突出する程度を調整可能にし、第１型脳波検知部材２１と耳との間の距離を制御できるいかなる構造であれば、適用可能である。
【００５７】
また、上記第１組付部１４１３と第２組付部２１３５の例において、第１組付部１４１３は、基体１４１または押上部材１４３に設けられてもよい。また、基体１４１に設けられた信号接続器１４１５は、例えば、ポゴピンであってもよく、これにより、耳との距離を調整可能な第１型脳波検知部材２１に合わせる。すなわち、第１型脳波検知部材２１が耳に接近する際（つまり、フレームから離れる際）、ポゴピンの圧縮が少なく突出が多い部分により、第１型脳波検知部材２１に接触する（例えば、信号導出部２１５に接触する）。
【００５８】
次に、図７を参照されたい。図７は、本発明の１つの実施例に係るクッション及びドッキングベースの立体分解模式図である。第１型脳波検知部材２１は、移動可能にドッキングベース１４に設けられている。押上部材１４３は、環状部分の外周面にあるネジ構造によって、基体１４１の貫通孔の内周壁にあるネジ構造に螺合されることにより、基体１４１から押上部材１４３の突出する程度を調整できる。基体１４１には、第１型脳波検知部材２１の底部に挿入するガイド孔（図示なし。例えば、固定部に配置される）に対応する少なくとも１つのガイドピン１４１７を設け、第１型脳波検知部材２１の取付位置を案内してもよい。また、信号接続器１４１５のポゴピン構造は、押上部材１４３の基体１４１に螺合する任意の調節の程度において、いずれも第１型脳波検知部材２１に対する接触的接続を維持できる。第１組付部１４１３は、図７の例示においても、磁性吸引部材であり、また、基体１４１に設置され、第１型脳波検知部材２１を固定しており、さらに、第１型脳波検知部材２１の取り外しを容易とする。
【００５９】
次に、図８を参照されたい。図８は、本発明の他の実施例に係る脳波誘導用のヘッドマウント式装置の模式図である。この実施例では、ヘッドマウント装置ＨＤのフレーム１０の右耳部１２Ａ及び左耳部１２Ｂは、メガネフレームの末端に類似するものであり、対応する耳の上耳根部まで延伸できる。右耳部１２Ａ及び左耳部１２Ｂにおけるフレーム１０には、対応する耳の上耳根部及び耳輪の上端部に接触するための延長型検出電極２１１をそれぞれ設けることができる。延長型検出電極２１１の長く広い面積及び円弧状の表面により、上耳根部付近の各部位の検出電極に接触でき、耳の複数の部位に接触するという目的を実現できる。また、前記の生体信号計測モジュール（図示なし）も、延長型検出電極２１１の先端の位置に設けられてもよい。
【００６０】
次に、図９を参照されたい。図９は、本発明の別の実施例に係るクッション及びドッキングベースの断面模式図である。クッション２１３は、ドッキングベース１４において、周囲材、例えば、図９に示される環である。装着者の耳との接触面積をさらに増加させるために、クッション２１３によって部分的に包み込まれている延長型検出電極２１１は、クッション２１３の頂部及び前記環の内周面の部位の箇所で検出電極を露出させてもよい。図９に示されるように、当該環の内周面の壁面にて、延長型検出電極２１１は、クッション２１３の縁部に向けて徐々に傾斜する斜面の配置を有し、さらに、固定部２１３１及び弾性部２１３３によってクッション２１３に固定されている。より大きな面積の検出電極の露出により、検出性能をさらに向上できる。
【００６１】
次に、図１０を参照されたい。図１０は、本発明の１つの実施例に係る脳波誘導方法のフローチャートである。前記方法は、装着者の第１脳波信号を計測するステップ（Ｓ１００）と、所定の刺激モードを実行し、刺激作用を有する初期刺激信号を提供するステップ（Ｓ２００）と、装着者の第２脳波信号を計測するステップ（Ｓ３００）と、第１脳波信号及び第２脳波信号に基づいて、脳波変化パターンを取得するステップ（Ｓ４００）と、当該脳波変化パターン及び現在で取得した第３脳波信号に基づいて、誘導式刺激信号を提供し、装着者の現在の脳波に影響を与えるステップ（Ｓ５００）とを含む。
【００６２】
図１０の実施例では、装着者がある程度の外部刺激を受けた時の脳波変化のパターンを予め計測し、この予備テストに基づいて、装着者の現在の脳波状態を判定でき、すなわち、装着者の現状において誘導可能の程度を解明できるので、どのような誘導式刺激モードで装着者を誘導するかを決定する。
【００６３】
脳波の優位律動の種類（α、β、δ、θ）により、異なる意識状態に対応することができる。そのうち、α波が優位である場合は、覚醒状態とリラックス状態との間のブリッジの意識状態を示す。β波が優位である場合は、覚醒状態であることを示し、一般的に、覚醒状態での不安、思考や集中する時の状態ではこの種類の脳波が現れる。δ波が優位である場合は、無意識状態であることを示し、一般的に、ノンレム睡眠時ではこの種類の脳波が現れる。θが優位である場合は、潜在意識状態であることを示し、一般的に、深層の夢を見る際、または深い瞑想の際はこの種類の脳波が現れる。
【００６４】
これにより、予め刺激を与えて脳波の誘導される難易度を判定した後、装着者に対して予め設定された誘導目的を達成できる適切な刺激モードを与えることができ、誘導効率を向上させる。
【００６５】
さらに、所定の刺激モード及び誘導式刺激信号は、対応する所定の音声・光のテストモードを装着者に与える。前記の所定の音声・光のテストモードは、特定時間帯で光パラメータ及び左右耳の周波数差の変化を提供することを含む。光パラメータ及び左右耳の周波数差の変化は、光が赤寄り、黄寄り、緑寄り、青寄りの順の変化及びその逆の順の変化、または、１２Ｈｚから２Ｈｚまでの順の左右耳の周波数差の変化及びその逆の順の変化を少なくとも含む。
【００６６】
高周波数の周波数差の変化は、例えば、各耳に対応して、２００〜２１０Ｈｚの間での変化（ただし、周波数差は１２Ｈｚから２Ｈｚまでの順またはその逆の順で徐々に調整される）であり、低周波数の周波数差の変化は、例えば、提供される音声の周波数の１７０〜１７３Ｈｚの間での変化（ただし、周波数差は１２Ｈｚから２Ｈｚまでの順またはその逆の順で徐々に調整される）であることが好ましい効果を有する。光の変化は、潜在意識での元気づける状態に対応する橙黄色（赤寄り）、潜在意識でのリラックス状態に対応する赤橙色（黄寄り）、浅眠誘導に対応する青緑色（緑寄り）、深眠誘導に対応する青緑色（青寄り）などが含まれる。前記の所定の音声・光のテストモードにより、段階的に、現在計測した脳波状態に対応して光刺激を与え、所定の誘導の目標状態に基づいて、目標状態に対応して与えるべき光に光を徐々に変化させる。
【００６７】
装着者の睡眠を誘導する例では、スムーズな睡眠の意識状態に対応する脳波変化は、順にβ波、α波、θ波、δ波という４つの段階である。装着者の脳波変化のパターンが一般的なもの（すなわち、誘導しやすい）であり、第３脳波信号がα波、すなわち、現在の意識状態がブリッジ意識状態である場合は、一定の時間（例えば、５分間、１０分間）内で、与える光パラメータ及び左右耳の周波数差の変化が、α波の帯域からθ波の帯域へ変化する、例えば、光の秒間点滅の周波数が１０Ｈｚから５Ｈｚに変化する、及び／または左右耳の周波数差が１０Ｈｚ〜５Ｈｚに変化するように、制御モジュール５０を制御する。
【００６８】
以上のように、この実施例に係るヘッドマウント式装置ＨＤは、光及び音声で装着者の脳波を誘導し、装着者に特定の意識状態（例えば、浅眠、深眠）に移行させるように支援し、より早く装着者に睡眠段階へ移行させることに寄与し、より良質な休息効果が得られる。また、ヘッドマウント式装置ＨＤがリアルタイムで装着者の脳波を検出することにより、装着者の現在の意識状態を判断でき、深層睡眠の意識状態に向けて誘導して、装着者の睡眠のクオリティを向上できる。
【００６９】
一方、装着者を深層睡眠の意識状態に誘導することが可能である以外、その逆の操作も実行可能であり、装着者を覚醒の意識状態に誘導して、目覚ましい機能とすることもできる。
【００７０】
以上のように、本発明の実施例に係るヘッドマウント装置ＨＤの制御モジュール５０は、脳波検知モジュール２０から受信した第１脳波信号Ｓ２０、及び所定の刺激モードでの脳波誘導モジュール３０の稼働において制御モジュール５０が脳波検知モジュール２０から返送した信号に対して演算し導出した脳波変化パターンに基づいて、当該脳波誘導モジュール３０が誘導式刺激信号を提供するように、制御できる。異なる装着者の現在の脳波の状態により、好ましい誘導モードを与え、誘導効率を向上させることができる。
【００７１】
次に、図１１を参照されたい。図１１は、本発明の１つの実施例に係る脳波誘導用のシステムの模式図である。この脳波誘導用のシステムは、第１無線通信モジュールを内蔵したスマート制御通信装置ＣＤの無線接続に用いられる。当該脳波誘導用のシステムは、ヘッドマウント式装置ＨＤとマッサージ装置ＭＤとを含む。
【００７２】
ヘッドマウント式装置ＨＤは、制御モジュール５０（図１をご参照）と、第２無線通信モジュールと、第３無線通信モジュールとを含む。第２無線通信モジュール及び第３無線通信モジュールは、例えば、制御モジュール５０の回路基板に統合された機能モジュールであってもよい。ヘッドマウント式装置ＨＤの第２無線通信モジュールは、例えば、装着者の携帯電話のスマート制御通信装置ＣＤとの無線接続に用いられる。ヘッドマウント式装置ＨＤの第３無線通信モジュールは、マッサージ装置ＭＤとの無線接続に用いられる。例えば、第１と第２無線通信モジュールは、Ｗｉ―Ｆｉにより接続されてもよく、ヘッドマウント式装置ＨＤとマッサージ装置ＭＤは、ブルートゥース（登録商標）送受信トンネル（ＢＴ）により接続されてもよい。他の実施例では、第１と第２無線通信モジュールは、ブルートゥース送受信トンネルにより接続されてもよく、ヘッドマウント式装置ＨＤとマッサージ装置ＭＤは、Ｗｉ―Ｆｉにより接続されてもよい。
【００７３】
マッサージ装置ＭＤは、マッサージ部材と、第４無線通信モジュールと、マッサージ制御モジュール（図示なし）とを含む。マッサージ制御モジュールは、第４無線通信モジュール及びマッサージ部材にそれぞれ接続されている。第４無線通信モジュールは、第３無線通信モジュールとの無線接続の構築に用いられる。マッサージ部材は、装着者に対してマッサージを施す部材である。マッサージ部材、第４無線通信モジュール及びマッサージ制御モジュールは、マッサージ装置ＭＤ内に統合される。
【００７４】
また、ヘッドマウント式装置ＨＤは、第２無線通信モジュールから受信した（装着者が操作する携帯からの）制御指令に基づいて、脳波誘導機能を実行させることができ、また、第３無線通信モジュールを介して、予め設定されたマッサージモードをマッサージ装置ＭＤが実行するように指示することができる。前記マッサージモードでは、対応するマッサージ機能をマッサージ部材が実行するようにさせる。
【００７５】
以上のように、本発明の実施例の装置、方法及びシステムは、脳波検知モジュールの延長型検出電極により、ヘッドマウント式装置が装着されて耳に密着する際、耳に対してより大きな有効検出面積を提供し、脳波検知の正確さを提供するとともに、装着の際の心地よさも兼備できる。また、被誘導者の正確な脳波状態を予め取得した後、対応する誘導モードを与えるので、装着者に対してより適切な誘導モードを与えることができる。
【００７６】
上記説明における接続とは、直接接続、直接電気的接続、またはその他の部材を介した間接接続、間接電気的接続であってもよい。
【００７７】
本発明は、上記の発明を実施例により説明されているが、当業者であれば、当該実施例は本発明を説明するためのものに過ぎず、本発明の範囲を限定するためのものではないことを理解すべきである。また、実施例に同等の変化や改変などは、いずれも本発明の範囲に属することを留意すべきである。したがって、本発明は、特許の請求の範囲で定義されている範疇に準拠とするものである。
【符号の説明】
【００７８】
１０      フレーム
１１      アイマスク部
１２Ａ    左耳部
１２Ｂ    右耳部
１３Ａ    左アーム部
１３Ａ１  変形部
１３Ｂ    右アーム部
１３Ｂ１  変形部
１４      ドッキングベース
１４１    基体
１４１３  第１組付部
１４１５  信号接続器
１４１７  ガイドピン
１４３    押上部材
２０      脳波検知モジュール
２１      第１型脳波検知部材
２１１    延長型検出電極
２１３    クッション
２１３１  固定部
２１３３  弾性部
２１３５  第２組付部
２１５    信号導出部
２２      第２型脳波検知部材
２２１    前額検出電極
２２３    額パッド
２２５    鼻パッド
２３      生体信号計測モジュール
３０      脳波誘導モジュール
３１０    第１型脳波誘導部材
３２０    第２型脳波誘導部材
５０      制御モジュール
６０      表示ユニット
ＣＤ      スマート制御通信装置
ＨＤ      ヘッドマウント式装置
ＭＤ      マッサージ装置
Ｓ２０    第１脳波信号
Ｓ３０    誘導式刺激信号
Ｓ１００  ステップ
Ｓ２００  ステップ
Ｓ３００  ステップ
Ｓ４００  ステップ
Ｓ５００  ステップ
【図１】
2020110582.tif 000003
【図２】
2020110582.tif 000004
【図３】
2020110582.tif 000005
【図４】
2020110582.tif 000006
【図５】
2020110582.tif 000007
【図６】
2020110582.tif 000008
【図７】
2020110582.tif 000009
【図８】
2020110582.tif 000010
【図９】
2020110582.tif 000011
【図１０】
2020110582.tif 000012
【図１１】
2020110582.tif 000013